(57)【特許請求の範囲】
【請求項１】
第１の筐体と、該第１の筐体の外側の空気を該筐体の内部に取り込む空気導入口と、該空気導入口から取り込んだ空気に洗浄水を散布して該空気を洗浄する第１の散水手段と、該第１の散水手段で洗浄された該空気を吐出する空気吐出口とを有する空気浄化部と、
空気を流通可能に構成された第２の筐体と、該第２の筐体の内部で洗浄水を散布する第２の散水手段とを有し、前記第２の散水手段によって散水した洗浄水を蒸発させて当該洗浄水から蒸発潜熱を奪うことで当該洗浄水を冷却させる洗浄水冷却部と、
前記第２の筐体内に配置されて前記第２の散水手段で散布した洗浄水を貯留する水槽を含む洗浄水貯留部と、
を有し、
前記第１の散水手段は前記水槽に貯留した洗浄水を散布し、
前記洗浄水貯留部は、
前記第１の筐体内の前記第１の散水手段の下方に配置され、前記第１の散水手段で散布した洗浄水を貯留する第１の水槽と、
前記第２の筐体内の前記第２の散水手段の下方に配置され、前記第２の散水手段で散布した洗浄水を貯留する第２の水槽であって、前記第１の水槽と連通している前記第２の水槽と、
前記第１及び第２の水槽の両方に行き渡る洗浄水を前記第１の散水手段および前記第２の散水手段のそれぞれへ送る洗浄水供給ラインと、
を備えたことを特徴とする空気調和装置。
【請求項２】
前記第１の水槽の底部は前記第２の水槽の底部と連通していることを特徴とする請求項１に記載の空気調和装置。
【請求項３】
前記第２の筐体の上部に形成された開口と、前記第２の筐体の内部の空気を吸引して前記開口より前記第２の筐体の外へ排出する空気吸引手段をさらに備えたことを特徴とする請求項１または２に記載の空気調和装置。
【請求項４】
前記第２の筐体の上部に形成された開口と、前記第２の筐体内に空気を導入するための空気導入部と、前記空気導入部から前記第２の筐体の内部に導入した空気を前記開口より前記第２の筐体の外へ排出するための送風手段とをさらに備えたことを特徴とする請求項１または２に記載の空気調和装置。
【請求項５】
前記空気吐出口から吐出された前記洗浄された空気の一部を前記空気導入部より導入する空気導入ラインをさらに備えたことを特徴とする請求項４に記載の空気調和装置。
【請求項６】
前記空気導入部は前記第２の散水手段よりも上に位置することを特徴とする請求項４または５に記載の空気調和装置。
【発明の詳細な説明】
【技術分野】
【０００１】
本発明は、空気調和装置に関し、特に、洗浄水を用いて空気を浄化する空気浄化手段を備えた空気調和装置に関する。
【背景技術】
【０００２】
従来、屋内空気の調和を図り、目的に応じた適切な空間を提供するために、屋内外の空気の温度調節や湿度調節を行うエアコンディショナ（空気温度湿度調整設備）が用いられている。
【０００３】
それに加えて、従来のエアコンディショナが備えていた空気の温度調節や湿度調節の機能に、空気内の粒子性物質やガス状化学物質などを除去するフィルタなどの空気浄化の機能を加えた装置も使用されている。しかし、フィルタの目詰まり等が発生して、浄化能力が損なわれる。
【０００４】
そこで、例えば、特許文献１に開示されているような、洗浄水と空気とを接触させることで空気を浄化する空気洗浄手段を備えた空気洗浄器が提案されている。この空気洗浄器では、浄化された空気の温度・湿度調節のための熱交換器等を使用している。一方、特許文献２に開示されているように、洗浄水の温度調節を行うことで、洗浄水と接触する空気の温度を調節し、加えてデシカント材を用いた湿度調節手段によって、洗浄水によって浄化された高湿度の空気の湿度調節を行う空気調和装置が提案されている。
【先行技術文献】
【特許文献】
【０００５】
【特許文献１】特開平９−２８５７１４号公報
【特許文献２】特開２００９−１０３３７３号公報
【発明の概要】
【発明が解決しようとする課題】
【０００６】
しかし、特許文献１に開示された空気洗浄器では、浄化された空気の温度・湿度調節のための加熱装置及び冷却装置が設けられており、浄化空気の加熱・冷却にエネルギが必要である。また、特許文献２に開示された空気調和装置は空気の温度調節を洗浄水の温度調節で行うため、やはりエネルギ効率の観点から好ましくない。特に浄化空気の冷却はヒートポンプ等の熱交換器が必要になる。
【０００７】
そこで、本発明は、上記の問題点に鑑み、外部エネルギを必要としない冷却を可能にする空気調和装置を提供することを目的とする。
【課題を解決するための手段】
【０００８】
本発明に係る空気調和装置は、空気浄化部と洗浄水冷却部と洗浄水貯留部とを備える。
【０００９】
空気浄化部は、第１の筐体と、該第１の筐体の外側の空気を該筐体の内部に取り込む空気導入口と、該空気導入口から取り込んだ空気に洗浄水を散布して該空気を洗浄する第１の散水手段と、該第１の散水手段で洗浄された該空気を吐出する空気吐出口とを有する。
洗浄水冷却部は、空気を流通可能に構成された第２の筐体と、該第２の筐体の内部で洗浄水を散布する第２の散水手段とを有し、前記第２の散水手段によって散水した洗浄水を蒸発させて当該洗浄水から蒸発潜熱を奪うことで当該洗浄水を冷却させる。洗浄水貯留部は、前記第２の散水手段で散布した洗浄水を貯留する水槽を含む。このような態様において、第１の散水手段は前記水槽に貯留した洗浄水を散布するように備えられている。
そして、前記洗浄水貯留部は、前記第１の筐体内の前記第１の散水手段の下方に配置され、前記第１の散水手段で散布した洗浄水を貯留する第１の水槽と、前記第２の筐体内の前記第２の散水手段の下方に配置され、前記第２の散水手段で散布した洗浄水を貯留する第２の水槽であって、前記第１の水槽と連通している前記第２の水槽と、前記第１及び第２の水槽の両方に行き渡る洗浄水を前記第１の散水手段および前記第２の散水手段のそれぞれへ送る洗浄水供給ラインと、を備えている。
【００１０】
このように本発明の一態様は、特許文献２に開示されている空気調和装置に、第２の筐体と、第２の筐体内部で洗浄水を散布する第２の散水手段と、第２の散水手段で散布した洗浄水を貯留する水槽とをさらに備え、該水槽に貯留した洗浄水を、該空気調和装置に取り込んだ外気に散布する洗浄水として使うものである。このような本発明の態様によれば、第２の散水手段で散水した洗浄水の一部は蒸発し、その際に洗浄水から蒸発潜熱を奪うため、洗浄水の水温が低下する。一方、第２の筐体内では散水と外部空気との接触が少ないため、水槽に貯留される水の温度は上昇せずに、その低下した温度となる。本発明はこのように温度が低下した洗浄水を、装置の外部から取り込んだ空気と接触させられるので、その水で浄化された空気の温度が下がる。すなわち本発明は、熱交換器によらず、浄化空気の冷却が可能である。
【発明の効果】
【００１１】
本発明によれば、ヒートポンプ等の熱交換器を用いなくても、浄化後空気の冷却が可能でとなる。
【図面の簡単な説明】
【００１２】
【図１】本発明による第１の実施形態の空気調和装置の構成を示す模式図。
【図２】本発明による第２の実施形態の空気調和装置の構成を示す模式図。
【図３】図２に示した空気調和装置の変形例を示す模式図。
【図４】本発明による第３の実施形態の空気調和装置の構成を示す模式図。
【図５】図４に示した装置の変形例を示す図。
【図６】第２の実施形態による空気調和装置を建物に適用した一例を示す模式図。
【図７】第２の実施形態による空気調和装置を建物に適用した他の例を示す模式図。
【発明を実施するための形態】
【００１３】
以下、本発明の実施形態について図面を参照して説明する。
【００１４】
（第１の実施形態）
図１は本発明による第１の実施形態の空気調和装置の構成を示す模式図である。
【００１５】
本実施形態の空気調和装置は、図１で示すように、洗浄水を用いて空気を浄化する空気浄化部１と、該洗浄水を冷却する洗浄水冷却部２と、該洗浄水を貯留する洗浄水貯留タンク３とを備える。
【００１６】
その構成を詳述すると、空気浄化部１を構成する筐体４の横に、洗浄水冷却部２を構成する筐体５が隣接するように配置されている。筐体４および筐体５の底部はそれぞれ水槽４１、５１を形成しており、これらの水槽の底面付近どうしが開口６によって互いに連通している。このような二つの水槽４１，５１で洗浄水貯留タンク３が構成される。
【００１７】
空気浄化部１側の筐体４の内部において、水槽４１の上方に、空気を浄化する気液接触手段７と、デシカントローター８（除湿手段）と、主送風機９とが、この順で設置されている。
【００１８】
筐体４の気液接触手段７より下方で、水槽４１より上方の側面には、浄化前空気を取り込む空気導入口１０が設けられており、筐体４のデシカントローター８より上方には浄化後空気を吐出する空気吐出口１１が設けられている。空気導入口１０から筐体４外の空気が、主送風機（F）９の吸い込み力によって筐体４内部に取り込まれ、筐体４内部を空気吐出口１１に向かって流れる。
【００１９】
主送風機９は、空気吐出口１１の手前に設置され、気液接触手段７によって浄化された空気を空気吐出口１１から筐体４の外へ吐出させる。
【００２０】
気液接触手段７は、空気導入口１０から筐体４内部に取り込まれた空気を洗浄水と接触させることで浄化する。このため、気液接触手段７は、気液接触部７１と、気液接触部７１の上方に設けられた洗浄水を散布する第１の散水手段７２とを有している。気液接触部７１には、支持体（不図示）が備えられ、ラシヒリング、レッシングリング、ポールリング、サドル、スルザーパッキン等の充填材が充填されている。なお、気液接触部３１は、充填材がハニカム状や繊維を編んだようなもので、気液接触部３１と一体型となっていてもよい。この気液接触部７１では、散水手段７２から散布された洗浄水が充填材の表面に付着し、充填材の表面で、筐体４内部に取り込まれた空気との気液接触が行われる。
【００２１】
気液接触手段７の上方に位置するデシカントローター８は乾燥剤を備え、気液接触手段７を経て大量の水分を含んだ空気の湿分を調整する。
【００２２】
第１の散水手段７２から散水された洗浄水は、気液接触部７１を通過して、気液接触部７１の下側に位置する水槽４１に収容される。この水槽４１は、開口６により、筐体４に隣接する筐体５底部の水槽５１と連通している。これにより、気液接触手段７からの洗浄水は水槽４１の中だけでなく水槽５１の中にも行き渡るようになっている。このとき、両水槽４１,５１の中に貯留される洗浄水は水位が同じになるが、その水位は開口６よりも上に位置され、筐体４，５間で空気の通わない状態にされている。
【００２３】
一方、洗浄水冷却部２側の筐体５の内部においても、水槽５１の上方に、洗浄水を散布する第２の散水手段１２を備えている。水槽５１は配管を介して循環ポンプ（P）１３に接続されている。循環ポンプ１３の吐出側は２経路に分岐し、分岐した一方の経路は配管を介して第１の散水手段７２に接続され、もう一方の経路は配管を介して第２の散水手段１２に接続されている。これらの散水手段７２，１２は例えば、多数の孔の開けられた配管であり、これらの孔から洗浄水が散布される。散水手段７２，１２に設けられた孔の数や形状、位置は特に限定されないが、洗浄水をほぼ均一に散布できるように設けられることが好ましい。しかし充填材の構造や、空気の流れに拠っては、気液接触部７１に対する散水量に偏りを持たせても構わない。また、洗浄水が散布される孔には、洗浄水をより微細な液滴として噴霧されるような形状を有したノズルを設けるのが好ましい。これにより後述するとおり洗浄水の蒸発潜熱が奪われやすくなる。
【００２４】
さらに、洗浄水冷却部２側の筐体５の上部には排気口１４が設けられ、排気口１４付近の筐体５内部に真空ポンプ等の吸引ポンプ１５が配置されている。筐体５の内部は吸引ポンプ１５での吸引により負圧にされる。
【００２５】
次に、本実施形態の作用・効果について述べる。
【００２６】
上述した構成による空気調和装置によれば、１）浄化空気の冷却効果、２）洗浄水中の揮発性物質の除去、が可能である。
【００２７】
Ａ．浄化空気の冷却効果について
＜第１の散水手段７２からの散水による洗浄水と空気との接触による冷却＞
１）まず、循環ポンプ１３で洗浄水が循環し、空気浄化部１側の筐体４内において第１の散水手段７２から洗浄水が散水される。散水した洗浄水の一部は蒸発し、その際に洗浄水から蒸発潜熱を奪うため、洗浄水の水温が低下する。
２）一方、主送風機９の作動により、空気導入口１０から筐体４内に空気が導入される。この導入した空気と第１の散水手段７２で散水した洗浄水とが接触することより、導入した空気中の浮遊物や化学物質は洗浄水に取り込まれるとともに、上記１）のように水温が低下した洗浄水が空気の熱を吸収するため、空気の温度は低下する。
【００２８】
＜第２の散水手段１２による洗浄水の水温低下＞
３）しかし、上記２）のように空気の熱を吸収した洗浄水の温度は上昇するため、第１の散水手段７２からの洗浄水散布による洗浄水の温度低下には限界がある。
４）そこで本発明では、上記１）〜２）で説明した動作の一方で、洗浄水冷却部２側の筐体５内において、循環ポンプ１３の作動に伴い第２の散水手段１２から洗浄水が散布される。このときに発生した水蒸気は吸引ポンプ１５で吸引され排気口１４から筐体５の外へ除去される。即ち、散水した洗浄水の一部は蒸発し、その際に洗浄水から蒸発潜熱を奪うため、洗浄水の水温が低下する。
５）洗浄水冷却部２では散水した洗浄水が外部空気と積極的に接触しないため、第２の散水手段１２からの洗浄水は、上記の３）のような、外部空気との接触における熱交換による水温上昇がない。従って、洗浄水の温度を低温状態にすることができる。
６）これにより、洗浄水冷却部２側の筐体５底部の水槽５１の洗浄水の温度、ひいては洗浄水貯留タンク３内の洗浄水の温度は低温状態を保つことができる。結果、第１の散水手段７２で散水した洗浄水と接触した空気の温度を下げることができる。
【００２９】
なお、第２の散水手段１２における散水流量やノズルの形状を変えて該ノズルでの洗浄水の蒸発量を増減させる（例えばノズル噴霧による細かい液滴の水蒸気の量を増減する）ことによって、洗浄水貯留タンク３内の洗浄水の温度低下量を制御することができる。これにより、浄化空気の温度を制御することができる。
【００３０】
また、本発明は浄化空気を外部エネルギを用いずに冷却することを目的の一つとしたものであり、浄化空気を加熱するには別途加熱手段が必要となるが、一般的なヒーターで浄化空気を加熱すればよい。
【００３１】
Ｂ．洗浄水中の揮発性物質の除去について
１）本発明による処理対象物質（ＳＯ2、ＮＯ2、アンモニア等の大気汚染物質やホルムアルデヒド、ＶＯＣ等のシックハウス症候群対象物質、臭気成分等）は揮発性物質がほとんどである。そのような揮発性物質は空気浄化部１における気液接触で洗浄水に溶解する。
２）しかし、上記１）の空気浄化を長時間行うと、洗浄水中に溶解した揮発性物質の量が多くなると、空気中の揮発性物質を取り込まなくなり、また、散布時に洗浄水中に溶解していた揮発性物質が再揮散してしまい、再度空気とともに吐出されてしまう。
３）そこで洗浄水冷却部２では、洗浄水が第２の散水手段１２により噴霧され、更に、筐体５内部は吸引ポンプ１５での吸引により負圧にされる。そのため、筐体５内において洗浄水中の化学物質が揮発し、洗浄水中から除去することができる。そして、洗浄水から除去された化学物質を含む空気は排気口１４から排出される。これにより、洗浄水への揮発性物質の蓄積を低減でき、洗浄水の交換頻度を抑えることができる。さらに、第１の散水手段７２から散水した洗浄水から揮発性物質が再揮散することも防げる。
【００３２】
（第２の実施形態）
図２は本発明による第２の実施形態の空気調和装置の構成を示す模式図である。この図において第１の実施形態と同じ構成要素には同一の符号を用いており、同じ構成要素の説明はここでは省略して第１の実施形態と同じとする。以下、第１の実施形態に対して変更した点を述べる。
【００３３】
本実施形態もまた、空気吐出口１１から吐出する浄化空気の温度を下げるために第２の散水手段１２を用いて洗浄水の温度低下を図ることと、処理前の空気との接触で洗浄水に取り込まれたアンモニア等の揮発ガス成分を洗浄水から除去することは第１の実施形態と同じである。このような作用効果を本実施形態は第１の実施形態の一部の構成を変えて達成させるものである。
【００３４】
第１の実施形態と異なる構成としては、図２に示すように、洗浄水冷却部２側の筐体５の側面に第２の空気導入口１６が形成されている。また、第１の実施形態においては排気口１４付近の筐体５内部に真空ポンプ等の吸引ポンプ１５を配置したが、本実施形態では、これに代えて、ファン１９が配置されている。ファン１９は、第２の空気導入口１６から筐体５内へ外部空気を取り込み、第２の散水手段１２での散水により発生した水蒸気を排気口１４から筐体５の外へ押し出す。
【００３５】
本実施形態は第１の実施形態と同様、洗浄水冷却部２における第２の散水手段１２の下側に充填材が無い。そのため、気液接触効率が低く、筐体５内において第２の散水手段１２で散水した洗浄水と第２の空気導入口１６から取り込まれた外部空気とが接触しても、熱交換が行われにくい。結果、空気浄化部１のみで洗浄水を循環させる場合に比して洗浄水の温度を低下させることができる。
【００３６】
より好ましくは、図２に示すように、洗浄水冷却部２の空気導入口１６を、第２の散水手段１２の下側ではなく、第２の散水手段１２よりも上に設けるのがよい。これにより、第２の散水手段１２からの洗浄水と第２の空気導入口１６からの導入空気との接触を非常に少なくし、散水により蒸発した水蒸気だけを筐体５の外へ押し出すことができる。
【００３７】
図３に本実施形態による空気調和装置の変形例を示す。この図に示す例では、空気浄化部１側の筐体４における空気吐出口１１に管部材１７が固定されている。そして、管部材１７の側面に形成された開口１７ａと、洗浄水冷却部２側の筐体５における第２の空気導入口１６とが、配管１８によって接続されている。このような構成では、空気浄化部１で浄化した空気の一部が配管１８を通って洗浄水冷却部２の筐体５内に導入されることになる。浄化空気は洗浄水の温度低下に起因して冷却された空気であるので、そのような導入によって、第２の散水手段１２を用いた洗浄水の低温化を効率よく行うことができる。この例では、洗浄水冷却部２の筐体５内に図２に示したようなファン１９が必ずしも配置しなくてもよい。
【００３８】
図３に示した構成例では、洗浄水冷却部２の空気導入口１６から筐体５内に導入する空気が、洗浄水との接触により浄化された空気（ＳＯ2、ＮＯ2、アンモニア等の揮発性物質が含まれていない空気又はガス）となっている。また図２に示した構成においても、空気導入口１６から筐体５内に導入する空気を、ＳＯ2、ＮＯ2、アンモニア等の揮発性物質が含まれていない空気又はガスとすることが好ましい。第１の実施形態で述べたように処理前の空気にはＳＯ2、ＮＯ2、アンモニア等の揮発性物質が含まれていることがあり、そのような揮発性物質は空気浄化部１における気液接触で洗浄水に溶解する。洗浄水に揮発性物質が蓄積されると、第１の散水手段７２から散水した洗浄水から揮発性物質が再揮散するおそれがある。そこで、図２および図３の例において、アンモニア等の揮発性物質が含まれていない空気又はガスを洗浄水冷却部２側の筐体５内に導入して洗浄水と常時接触させる構成にすることで、第１の水槽４１と連通した第２の水槽５１内の洗浄水中の揮発性物質はその空気に取り込まれて洗浄水から除去される。その結果、洗浄水への揮発性物質の蓄積を低減でき、洗浄水の交換頻度を抑えることができる。
【００３９】
なお、第２の散水手段１２における散水流量やノズルの形状を変えて該ノズルでの洗浄水の蒸発量を増減させる（例えばノズル噴霧による細かい液滴の水蒸気の量を増減する）ことによって、洗浄水貯留タンク３内の洗浄水の温度低下量を制御することができる。これにより、浄化空気の温度を制御することができる。
【００４０】
また、本発明は浄化空気を外部エネルギを用いずに冷却することを目的としたものであり、浄化空気を加熱するには別途加熱手段が必要となるが、一般的なヒーターで浄化空気を加熱すればよい。
【００４１】
（第３の実施形態）
図４は本発明による第３の実施形態の空気調和装置の構成を示す模式図である。この図において第１の実施形態と同じ構成要素には同一の符号を用いており、同じ構成要素の説明はここでは省略して第１の実施形態と同じとする。以下、第１の実施形態に対して変更した点を述べる。
【００４２】
本実施形態もまた、空気吐出口１１から吐出する浄化空気の温度を下げるために第２の散水手段１２を用いて洗浄水の温度低下を図ることと、処理前の空気との接触で洗浄水に取り込まれたアンモニア等の揮発ガス成分を洗浄水から除去することは第１の実施形態と同じである。このような作用効果を本実施形態は第１の実施形態の一部の構成を変えて達成させるものである。
【００４３】
第１の実施形態と異なる構成としては、図４に示すように、第１の水槽４１と第２の水槽５１が連通していない点である。そして、第１の水槽４１に貯留した洗浄水をポンプＰ１で第２の散水手段１２に送る第１の洗浄水供給ライン４２と、第２の水槽５１に貯留した洗浄水をポンプＰ２で第１の散水手段７２に送る第２の洗浄水供給ライン４３とを有している。
【００４４】
第３の実施形態においても、第１の実施形態と同様、洗浄水の冷却による浄化空気の冷却効果並びに洗浄水への揮発性物質の蓄積を低減という課題は解決される。
【００４５】
すなわち、第３の実施形態では第２の実施形態と同様に洗浄水冷却部２の水槽５１内の洗浄水を低温化でき、これを空気浄化部１の散水手段７２より散水するため、第１の散水手段７２からの洗浄水と接触した空気の温度を下げることができる。しかも、第１の水槽４１と第２の水槽５１が連通しないため、第１の実施形態よりも効率よく浄化空気を冷却できる。
【００４６】
また、第２の実施形態のように洗浄水冷却部２の筐体５の側面に空気導入口１６を設け、排気口１４付近にファン１９を設置することができ、浄化空気の一部を空気導入口１６から筐体５内へ導入することもできる。
【００４７】
また、図４では、空気浄化部１と洗浄水冷却部２が一体（空気浄化部側の筐体４と洗浄水冷却部側の筐体５の側壁の一部が共通している形態）となっているが、それぞれが独立していて、第１の洗浄水供給ライン４２と第２の洗浄水供給ライン４３で接続されていてもよい。また、１つの洗浄水冷却部１に複数の空気浄化部２を接続することも可能である（図５参照）。
【００４８】
（第４の実施形態）
図６は第２の実施形態による空気調和装置を建物の外に用いた例であって、外気を洗浄して屋内に導入する場合を示している。
【００４９】
上述した第２の実施形態による空気調和装置を屋外に設置する場合、図６に示すように、空気吐出口１１が、住宅の側壁２０を貫通する配管２１を介して住宅内部と連通される。これにより、空気導入口１０で住宅の外気が取り込まれ、空気調和装置内で浄化された空気は配管２１によって住宅の内部へ供給される。本発明は、第２の散水手段１２を備えた洗浄水冷却部２によって洗浄水が低温化されて、空気吐出口１１から吐出する浄化空気の温度を下げられる発明であるので、屋内の一般のエアコンにかかる負荷を低減することができる。さらに、第２の空気導入口１６で住宅の内気を取り込めるように、第２の空気導入口１６は配管２２によって住宅の内部と連通している。屋内に供給された冷却された浄化空気が洗浄水冷却部２に導入されるため、第２の実施形態で説明したように洗浄水の低温化効率が良く、かつ、洗浄水中の揮発性物質の除去が可能である。
【００５０】
このような適用例では、空気浄化の際の主な洗浄対象物質はＳＯ2、ＮＯ2、アンモニア等の外気中に含まれる化学物質である。
【００５１】
なお、第２の実施形態の空気調和装置を住宅等の建物の外に設置した例を示したが、第１の実施形態のように洗浄水冷却部２の筐体５に空気導入口が無く、筐体５内の真空ポンプが配置された空気調和装置を屋外に設置して、外気を洗浄および冷却して屋内に導入することもできる。
【００５２】
（第５の実施形態）
図７は第２の実施形態による空気調和装置を建造物に用いた例であって、内気を洗浄して屋内に導入する場合を示している。
【００５３】
上述した第２の実施形態による空気調和装置を屋内に設置する場合、図７に示すように、空気導入口１０で住宅の内気が取り込まれ、空気調和装置内で浄化された空気は空気吐出口１１から屋内へ供給される。本発明は、第２の散水手段１２を備えた洗浄水冷却部２によって洗浄水が低温化されて、空気吐出口１１から吐出する浄化空気の温度を下げられる発明であるので、屋内の一般のエアコンにかかる負荷を低減することができる。
【００５４】
さらに、第２の空気導入口１６で住宅の外気が取り込まれる。これにより、第２の実施形態で説明したように洗浄水の低温化効率が良く、かつ、洗浄水中の揮発性物質の除去が可能である。また、洗浄水冷却部２の排気口１４は配管２３によって住宅の外部に連通している。そのため、洗浄水冷却部２において洗浄水から除去された揮発性物質は配管２３を通って住宅の外へ排出される。
【００５５】
このような適用例では、空気浄化の際の主な洗浄対象物質はホルムアルデヒド、ＶＯＣ、臭気成分等（シックハウス症候群対象物質）、人／ペット臭等の室内に含まれる化学物質である。
【００５６】
なお、第２の実施形態の空気調和装置を住宅等の建物の内部に設置した例を示したが、第１の実施形態のように洗浄水冷却部２の筐体５に空気導入口が無く、筐体５内の真空ポンプが配置された空気調和装置を屋内に設置して、屋内の空気を洗浄および冷却して再び屋内に導入することもできる。
【００５７】
さらに、本発明の空気調和装置は、上述したように吐出する空気の冷却および清浄が行えるだけでなく、空気を清浄化する洗浄水に家庭の水道水を使用でき、また洗浄水を循環できるものなので、家庭での運転コストが非常に廉価である。
【符号の説明】
【００５８】
１・・・空気浄化部、  ２・・・洗浄水冷却部、  ３・・・洗浄水貯留タンク
４、５・・・筐体、  ６・・・開口、  ７・・・気液接触手段、  ７１・・・気液接触部
７２・・・第１の散水手段、  ８・・・デシカントローラ、  ９・・・主送風機
１０・・・空気導入口、  １１・・・空気吐出口、  １２・・・第２の散水手段
１３・・・循環ポンプ、  １４・・・排気口、  １５・・・吸引ポンプ
１６・・・空気導入口、  １７・・・管部材、  １７ａ・・・開口
１８、２１、２２、２３・・・配管、  １９・・・ファン、  ２０・・・住宅の側壁
３１・・・気液接触部、  ４１、５１・・・水槽、  ４２、４３・・・洗浄水供給ライン
【図１】
0005606840.tif 000002
【図２】
0005606840.tif 000003
【図３】
0005606840.tif 000004
【図４】
0005606840.tif 000005
【図５】
0005606840.tif 000006
【図６】
0005606840.tif 000007
【図７】
0005606840.tif 000008